(57)【特許請求の範囲】
【請求項１】
軽量気泡コンクリートパネルの取付け構造用の自重受け金物であって、
略矩形状の自重受け水平プレート部と、
前記自重受け水平プレート部の１組の相対する２辺を起点とし該自重受け水平プレート部に対して垂直方向に延設されてなる１組の略矩形板状の第１垂直脚部プレートと、
前記自重受け水平プレート部の他の１組の相対する２辺の一部を起点とし、該自重受け水平プレート部に対して垂直方向に延設されてなる１組の略矩形板状の第２垂直脚部プレートと、を有し、
相対する前記第１垂直脚部プレートのうちの一方のプレートは、他のプレートよりも、垂直方向の長さが相対的に短く形成されている自重受け金物。
【請求項２】
前記第２垂直脚部プレートは、垂直方向の長さが相対的に短く形成されている前記第１垂直脚部プレート側の先端角部に略矩形状の切り欠きが形成されている請求項１に記載の自重受け金物。
【請求項３】
一の前記第１垂直脚部プレートと他の前記第１垂直脚部プレートとの垂直方向の長さの差が、４ｍｍ以上９ｍｍ以下である請求項１又は２に記載の自重受け金物。
【請求項４】
一の前記第１垂直脚部プレートと他の前記第１垂直脚部プレートとの垂直方向の長さの差が、４ｍｍ以上９ｍｍ以下であって、
前記第２垂直脚部プレートの前記切り欠きの垂直方向の長さが、一の前記第１垂直脚部プレートと他の前記第１垂直脚部プレートとの垂直方向の長さの差と略同一である請求項２に記載の自重受け金物。
【請求項５】
請求項１から４のいずれかに記載の自重受け金物に軽量気泡コンクリートパネルが載置されてなる軽量気泡コンクリートパネルの取付け構造であって、
前記自重受け金物は、建物の下部躯体に固定用ナットで固定されている定規アングルに溶接されていて、
前記一の第１垂直脚部プレートと前記他の第１垂直脚部プレートとの垂直方向の長さの差が、前記定規アングルの厚さと同一である軽量気泡コンクリートパネルの取付け構造。
【請求項６】
前記自重受け水平プレート部の側辺と、前記第２垂直脚部プレートの側辺と、垂直方向の長さが相対的に短く形成されている前記第１垂直脚部プレートの側辺と、前記定規アングルの水平面と、の間に形成される側面開口部が、前記固定用ナットの厚さ以上の高さを有し、前記固定用ナットの直径以上の幅を有する請求項５に記載の軽量気泡コンクリートパネルの取付け構造。
【請求項７】
前記軽量気泡コンクリートパネルの下部小口面における幅方向の中心位置に前記自重受け金物が配置されている請求項５又は６に記載の軽量気泡コンクリートパネルの取付け構造。
【発明の詳細な説明】
【技術分野】
【０００１】
本発明は、軽量気泡コンクリートパネル（ＡＬＣパネル）を建物の下部躯体に取り付けて立ち上がり壁を形成する際に用いる自重受け金物、及び、それを用いた軽量気泡コンクリートパネルの取付け構造に関する。更に詳しくは、ＡＬＣパネルによる立ち上がり壁に適切なロッキング機構を付与することができる自重受け金物、及び、それを用いた軽量気泡コンクリートパネルの取付け構造に関する。
【背景技術】
【０００２】
軽量性、耐熱性、耐火性等の特性に優れるＡＬＣパネルは、一般にパネル表面が長方形の板状に形成されている。このようなＡＬＣパネルにより、例えばベランダ壁等の立上がり壁を形成する場合には、ＡＬＣパネルの長手方向の両端部を、定規アングル等の下地鋼材を介して構造躯体に取り付ける縦壁構法が主流である。更に、この縦壁構法においては、ＡＬＣパネルによる立ち上がり壁を、地震等による構造躯体の変形や変位に追従させるために、ＡＬＣパネルの取付け部にロッキング機能を付与した縦壁ロッキング構法が広く採用されている（特許文献１参照）。
【０００３】
又、この縦壁ロッキング構法によって、ＡＬＣパネルからなる立ち上がり壁を形成する場合には、ＡＬＣパネルと構造躯体上に定規アングル等を構造耐力上支障のないように設置した上で、ＡＬＣパネルの重量を、当該ＡＬＣパネルの下部短辺小口の幅中央において、当該定規アングル上に固定された自重受け金物で有効に支持する必要がある（非特許文献１参照）。
【０００４】
ここで、例えば、上記の構造躯体がコンクリート床である場合に、当該コンクリート床に、定規アングルを設置する方法として、コンクリートアンカーによる固定方法が最も簡便で一般的な方法として挙げられる。具体的には、予め所定のピッチで固定穴があけられた定規アングルを、コンクリート床上の所定位置に配置し、固定穴に合わせて雄ねじ部分を上部にしてコンクリートアンカーをハンマー等で叩き込み挿入し、上記雄ねじ部分に平座金と固定用ナットを螺合して定規アングルをコンクリート床に固定する固定方法である。この固定方法による場合、上記の固定用ナットから突出する雄ねじ部分はロッキング機構の妨げとならないように切断除去される。尚、コンクリート等の下部躯体に溶接のための基板とする鋼板等を追加的に設置すれば、ボルトやナットを用いずに溶接によって定規アングルを固定することも可能ではあるが、上記基板の設置に係る工程とコストの増加は好ましくないことから、コンクリートアンカーによる固定方法が広く採用されている。
【０００５】
上記の固定方法によって定規アングルを構造躯体に固定する場合、例えば、図５に示すように、固定用ナット５の高さ以上の高さを有する自重受け金物１Ｂを用いて、ＡＬＣパネルを嵩上げすることによって、立ち上がり壁に適切なロッキング機構を付与することができる。しかしながら、固定用ナット５と自重受け金物１Ｂの水平位置が相互に重なる場合には、ＡＬＣパネルの重量をその下部短辺小口の幅中央で受けることができる位置に自重受け金物を配置することができず、ＡＬＣパネルからなる立ち上がり壁に適切なロッキング機構を付与することができないという問題があった。
【０００６】
この問題を解決するための工夫として、例えば、図６に示すように、自重受け面の四辺に固定用ナット５の高さ以上の脚部を有することにより、固定用ナット５を内包可能な形状の自重受け金物１Ｃを用いることが考えられる。この自重受け金物１Ｃによれば、固定用ナット５の位置と自重受け金物１Ｃが水平位置において重なることになる場合であっても、固定用ナット５と自重受け金物１Ｃとの干渉を回避して、ＡＬＣパネルの上記幅中央近辺に自重受け金物１Ｃを設置することができる。
【０００７】
例えば、図１０に示すように、固定用ナット５の配置ピッチがＰである場合に、固定用ナット５と自重受け金物との干渉が起こらない位置（Ａ）においては、自重受け金物１Ｂを用いることによりロッキング機構を備える立ち上がり壁を構成することが可能である。
【０００８】
同じく、図１０に示すように、固定用ナット５と自重受け金物との干渉が起こる位置（Ｂ）においては、自重受け金物１Ｃを用いることによって、幅ＷのＡＬＣパネル２の幅方向の中心位置でパネルを支持することができる。
【０００９】
しかしながら、図１０に示すいずれの構成によったとしても、例えば、自重受け金物１Ｃのいずれかの脚部が固定用ナット５と干渉してしまう可能性については、これを完全に排除することはできない。このような場合には、依然、ＡＬＣパネルからなる立ち上がり壁に適切なロッキング機構を付与することができないという問題が残存する。
【先行技術文献】
【特許文献】
【００１０】
【特許文献１】特開２０１０−２７５６９３号公報
【非特許文献】
【００１１】
【非特許文献１】ＡＬＣパネル取付け構法標準・同解説  平成２５年版  （ＡＬＣ協会）
【発明の概要】
【発明が解決しようとする課題】
【００１２】
本発明の目的は、コンクリートアンカーによる固定方法によって定規アングルを建造物の下部躯体に固定する場合における、固定用ナットと自重受け金物との干渉を回避して、ＡＬＣパネルからなる立ち上がり壁に、適切なロッキング機構を付与することができる軽量気泡コンクリートパネルの取付け構造用の自重受け金物、及びそれを用いてなる軽量気泡コンクリートパネルの取付け構造を提供することにある。
【課題を解決するための手段】
【００１３】
本発明者らは、軽量気泡コンクリートパネルの建造物の下部躯体への取付け構造を、本願特有の形状からなる脚部を有する自重受け金物を採用して、各ＡＬＣパネルを、その短辺小口の幅中央で支持する構造とすることにより、上記課題を解決することができることを見出し、本発明を完成するに至った。具体的には、本発明は以下のものを提供する。
【００１４】
（１）  軽量気泡コンクリートパネルの取付け構造用の自重受け金物であって、略矩形状の自重受け水平プレート部と、前記自重受け水平プレート部の１組の相対する２辺を起点とし該自重受け水平プレート部に対して垂直方向に延設されてなる１組の略矩形板状の第１垂直脚部プレートと、前記自重受け水平プレート部の他の１組の相対する２辺の一部を起点とし、該自重受け水平プレート部に対して垂直方向に延設されてなる１組の略矩形板状の第２垂直脚部プレートと、を有し、相対する前記第１垂直脚部プレートのうちの一方のプレートは、他のプレートよりも、垂直方向の長さが相対的に短く形成されている自重受け金物。
【００１５】
（１）の発明によれば、ＡＬＣパネルからなる立ち上がり壁を形成する場合であって、コンクリートアンカーによる固定方法によって定規アングルを構造躯体に固定する場合に特に問題となる、定規アングルを固定するための固定用ナットと、自重受け金物との干渉を回避して、上記固定用ナットの位置にかかわらず、定規アングル上の適切な位置に自重受け金物を設置することができる。以上より、（１）の発明によれば、定規アングルの固定方法として汎用的な手段であり、取付け作業が容易なコンクリートアンカーによる固定方法によって定規アングルを建造物の下部躯体に固定する場合であっても、ＡＬＣパネルからなる立ち上がり壁に、適切なロッキング機構を付与することができる。
【００１６】
（２）  前記第２垂直脚部プレートは、垂直方向の長さが相対的に短く形成されている前記第１垂直脚部プレート側の先端角部に略矩形状の切り欠きが形成されている（１）に記載の自重受け金物。
【００１７】
（２）の発明によれば、第２垂直脚部プレート部に形成される略矩形状の切り欠きが、定規アングル及び下部躯体に係合した状態で、自重受け金物を設置することができる。これにより、（１）の自重受け金物を用いてなるＡＬＣパネルからなる立ち上がり壁のロッキング機構を更に安定的に発現させることができる。
【００１８】
（３）  一の前記第１垂直脚部プレートと他の前記第１垂直脚部プレートとの垂直方向の長さの差が、４ｍｍ以上９ｍｍ以下である（１）又は（２）に記載の自重受け金物。
【００１９】
（３）の発明によれば、ＡＬＣパネルからなる立ち上がり壁を形成する際に用いられる部材として、標準的な厚さ、大きさの定規アングル及び固定用ナットを用いる場合において、確実に（１）又は（２）の発明の効果を享受することができる。
【００２０】
（４）  一の前記第１垂直脚部プレートと他の前記第１垂直脚部プレートとの垂直方向の長さの差が、４ｍｍ以上９ｍｍ以下であって、前記第２垂直脚部プレートの前記切り欠きの垂直方向の長さが、一の前記第１垂直脚部プレートと他の前記第１垂直脚部プレートとの垂直方向の長さの差と略同一である（２）に記載の自重受け金物。
【００２１】
（４）の発明によれば、ＡＬＣパネルからなる立ち上がり壁を形成する際に用いられる部材として、標準的な厚さ、大きさの定規アングル及び固定用ナットを用いる場合において、確実に（２）の発明の効果を享受することができる。
【００２２】
（５）  （１）から（４）のいずれかに記載の自重受け金物に軽量気泡コンクリートパネルが載置されてなる軽量気泡コンクリートパネルの取付け構造であって、前記自重受け金物は、建物の下部躯体に固定用ナットで固定されている定規アングルに溶接されていて、前記一の第１垂直脚部プレートと前記他の第１垂直脚部プレートとの垂直方向の長さの差が、前記定規アングルの厚さと同一である軽量気泡コンクリートパネルの取付け構造。
【００２３】
（５）の発明は、（１）から（４）のいずれかに記載の自重受け金物の特徴的な部分である脚部の形状を、適用対象とする取付け構造の定規アングルの厚さに応じて最適化したものである。これにより、固定用ナットと自重受け金物との干渉を回避しつつ、ＡＬＣパネルからなる立ち上がり壁に、適切なロッキング機構を付与するという本発明の効果を、安定的に発現させることができる。
【００２４】
（６）  前記自重受け水平プレート部の側辺と、前記第２垂直脚部プレートの側辺と、垂直方向の長さが相対的に短く形成されている前記第１垂直脚部プレートの側辺と、前記定規アングルの水平面と、の間に形成される側面開口部が、前記固定用ナットの厚さ以上の高さを有し、前記固定用ナットの直径以上の幅を有する（５）に記載の軽量気泡コンクリートパネルの取付け構造。
【００２５】
（６）  の発明によれば、例えば、図９に示すように、固定用ナット５の一部が、水平面視上において自重受け金物１の直下からはみ出している場合においても、自重受け金物１が、定規アングル４と隙間無く係合するこができる。これにより、固定用ナット５の位置にかかわらず、固定用ナットと自重受け金物との干渉を完全に回避するこができる。
【００２６】
（７）  前記軽量気泡コンクリートパネルの下部小口面における幅方向の中心位置に前記自重受け金物が配置されている（５）又は（６）に記載の軽量気泡コンクリートパネルの取付け構造。
【００２７】
（７）の発明によれば、ＡＬＣパネルからなる立ち上がり壁に、極めて適切なロッキング機構を付与することができる。
【発明の効果】
【００２８】
本発明によれば、コンクリートアンカーによる固定方法によって定規アングルを構造躯体に固定する場合における、固定用ナットと自重受け金物との干渉を回避して、ＡＬＣパネルからなる立ち上がり壁に、適切なロッキング機構を付与することができる軽量気泡コンクリートパネルの取付け構造用の自重受け金物、及びそれを用いてなる軽量気泡コンクリートパネルの取付け構造を提供することができる。
【図面の簡単な説明】
【００２９】
【図１】本発明の自重受け金物の斜視図である。
【図２】本発明の自重受け金物の側面図である。
【図３】本発明の自重受け金物の平面図である。
【図４】本発明の自重受け金物を用いた軽量気泡コンクリートパネルの取付け構造の側面図である。
【図５】従来の軽量気泡コンクリートパネルの取付け構造及びそれに用いられていた自重受け金物の説明に供する斜視図である。
【図６】従来の軽量気泡コンクリートパネルの取付け構造及びそれに用いられていた自重受け金物の他の例の説明に供する斜視図である。
【図７】本発明の自重受け金物を用いた軽量気泡コンクリートパネルの取付け構造の正面図である。
【図８】図７の軽量気泡コンクリートパネルの取付け構造の一部を拡大して示す部分拡大正面図である。
【図９】本発明の自重受け金物の実施態様の一例を示す斜視図である。
【図１０】従来の自重受け金物を用いた軽量気泡コンクリートパネルの取付け構造の正面図である。
【発明を実施するための形態】
【００３０】
以下、本発明の軽量気泡コンクリートパネル（ＡＬＣパネル）の取付け構造、それに用いる自重受け金物、及び、ＡＬＣパネルの取付け構造の製造方法について、それぞれの好ましい実施形態について順次説明する。尚、以下においては、主に、複数のＡＬＣパネルを、コンクリート床からなる建造物の下部躯体に設置することにより、立ち上がり壁を構成する場合の実施形態について説明するが、本発明は、以下の実施形態に限定されるものではない。
【００３１】
＜軽量気泡コンクリートパネルの取付け構造＞
本発明の軽量気泡コンクリートパネルの取付け構造１００とは、図７に示す通り、複数のＡＬＣパネル２を、本発明特有の自重受け金物１を介して、コンクリート床に代表される建造物の下部躯体３に設置してなる構造体である。
【００３２】
軽量気泡コンクリートパネルの取付け構造１００においては、図７に示す通り、固定用ナット５の位置にかかわらず、同構造を構成する個々のＡＬＣパネル２において、同パネルの下部小口面における幅方向の中心位置に自重受け金物１が配置されている。これにより、自重受け金物１によって、各ＡＬＣパネル２を有効に支持し、軽量気泡コンクリートパネルの取付け構造１００に、適切なロッキング機構を発現させることができる。
【００３３】
尚、ＡＬＣパネル２の下部小口面と、下部躯体側の構造物との実質的なクリアランス（例えば図８に示す場合においては、固定用ナット５の頭部との間のクリアランスＳ）が所定の値となるように取付け構造を設計することにより、適切なロッキング機構を軽量気泡コンクリートパネルの取付け構造１００に付与することができる。例えば、ＡＬＣパネルの幅が６００ｍｍであって、クリアランスＳが層間変形角１／１００ｒａｄでも干渉しない設計として３ｍｍ以上である場合を、好ましいロッキング機構を備える軽量気泡コンクリートパネルの取付け構造１００の具体例として挙げることができる。
【００３４】
又、軽量気泡コンクリートパネルの取付け構造１００においては、図４に示す通り、自重受け金物１の各脚部及び脚部に形成された切り欠きが、定規アングル４と下部躯体３に、隙間無く係合する態様で溶接処理等によって固定されている。又、個々のＡＬＣパネル２は、イナズマプレート７やパネル固定用ボルト８とＡＬＣパネル２の内部に予め埋設されたアンカー２１とを螺合させること等により、定規アングル４に固定されている。
【００３５】
＜自重受け金物＞
自重受け金物１は、図１から図３にそれぞれ示す通り、略矩形状の自重受け水平プレート部１４と、自重受け水平プレート部１４の１組の相対する２辺を起点とし自重受け水平プレート部１４に対して垂直方向に延設されてなる１組の略矩形状の第１垂直脚部プレート１１、１２と、自重受け水平プレート部１４の他の１組の相対する２辺の一部のみを起点とし、自重受け水平プレート部１４に対して垂直方向に延設されてなる１組の略矩形状の第２垂直脚部プレート１３と、を有する金物部材である。
【００３６】
第１垂直脚部プレートは、垂直方向の長さが相互に異なる一組の略矩形状のプレートかなる。図１及び図２に示す通り、一の第１垂直脚部プレート１２（長脚側のプレート）よりも、他の第１垂直脚部プレート１１（短脚側のプレート）の方が垂直方向の長さ（プレート高さ）が短くなるように形成されている。この一の第１垂直脚部プレート（短脚側のプレート）１１と他の第１垂直脚部プレート１２（長脚側のプレート）とのプレート高さの差を、自重受け金物１を設置する定規アングル４の厚さと等しくすることにより、図４に示す通り、自重受け水平プレート部１４の水平を保持した状態で、自重受け金物１を、定規アングル４と下部躯体３に隙間無く係合させることができる。
【００３７】
第２垂直脚部プレートは、垂直方向の長さが同一の一組の略矩形状のプレートかなる。図１及び図２に示す通り、相対する第２垂直脚部プレート１３には、垂直方向の長さが相対的に短く形成されている第１垂直脚部プレート（短脚側のプレート）１１の側の先端角部に、略矩形状の切り欠き１３１が形成されていることが好ましい。この切り欠き１３１の高さ方向の長さ（切り欠き深さ）を、自重受け金物１を設置する定規アングル４の厚さ以上であり、当該厚さと略同一であることが好ましい。これにより、図４に示す通り、自重受け水平プレート部１４の水平を保持した状態で、自重受け金物１を、定規アングル４と下部躯体３に隙間無く係合させることができる。
【００３８】
自重受け金物１を定規アングル４に設置した時に、自重受け水平プレート部１４の側辺と、第２垂直脚部プレート１３の第１垂直脚部プレート（短脚側のプレート）１１側の側辺と、第１垂直脚部プレート（短脚側のプレート）１１の側辺と、定規アングル４の水平面と、の間に形成される側面開口部１３２が、軽量気泡コンクリートパネルの取付け構造１００に用いられる固定用ナット５の高さ以上の高さを有し、固定用ナット５の幅以上の幅を有するように自重受け金物１を形成することにより、図９に示すように、固定用ナット５の一部が、水平面視上において自重受け金物１の直下からはみ出している場合においても、自重受け金物１を定規アングル４に隙間無く係合させることができる。これにより、固定用ナット５の位置にかかわらず、固定用ナットと自重受け金物との干渉を完全に回避するこができる。
【００３９】
＜軽量気泡コンクリートパネルの取付け構造の製造方法＞
軽量気泡コンクリートパネルの取付け構造１００は、以下の製造方法により製造することができる。先ず、コンクリート床等の下部躯体３にコンクリートアンカーにて固定する方法である。これは予め所定のピッチ（一例として６００ｍｍ）で固定穴があけられた定規アングル４をコンクリート床等の下部躯体３上の所定位置に配置し、上記の固定穴に合わせて下部躯体に所定深さ穿孔し、雄ねじ部分を上部にして固定用ボルト６をハンマー等で叩き込み挿入する。次に雄ねじ部分に平座金と固定用ナット５を螺合し、定規アングル４を下部躯体３に固定する。この段階で固定用ナット５の上部に突出する雄ねじ部分は、ロッキング機構を妨げることを防ぐために切断除去する。ＡＬＣパネル２の割り付けに合わせ、各パネル幅中心（自重受け金物の設置位置）となる位置を、定規アングル上に明記する。このとき、このパネル幅中心となる位置と、固定用ナット５の全部又はー部が水平位置において重なる位置となったとしても、本発明の自重受け金物１を用いる限り、相互に干渉することなく、上記の各パネル幅中心（自重受け金物の設置位置）となる位置に、自重受け金物を正確に設置することができる。そして、これにより、軽量気泡コンクリートパネルの取付け構造１００に適切なロッキング機構を付与することができる。
【符号の説明】
【００４０】
１                  自重受け金物
１Ｂ、１Ｃ          自重受け金物（従来品）
１１                第１垂直脚部プレート（短脚側のプレート）
１２                第１垂直脚部プレート（長脚側のプレート）
１３                第２垂直脚部プレート
１３１              切り欠き
１３２              側面開口部
１４                自重受け水平プレート部
２                  軽量気泡コンクリートパネル
２１                アンカー
４                  定規アングル
５                  固定用ナット
６                  固定用ボルト
７                  イナズマプレート
８                  パネル固定用ボルト
１００              軽量気泡コンクリートパネルの取付け構造
【図１】
0006429278.tif 000002
【図２】
0006429278.tif 000003
【図３】
0006429278.tif 000004
【図４】
0006429278.tif 000005
【図５】
0006429278.tif 000006
【図６】
0006429278.tif 000007
【図７】
0006429278.tif 000008
【図８】
0006429278.tif 000009
【図９】
0006429278.tif 000010
【図１０】
0006429278.tif 000011